(57)【要約】本装置はエンジン、ポンプ及びコンプレッサーのごときエネルギー発生産業で利用される。装置はクランクケース１、ピストン３とピストンロッド４とを有したシリンダー２、及び互いに逆回転する２体のクランクシャフト６、７を備えている。ピストンの中空部１２はクランクケース１内に位置するピストンロッド４の軸通路１３と連通する。ピストンロッド４は吸引パイプ１４内に入り込んで往復運動する。軸通路１３のピストン３の中空部１２側にはディフューザ２７が、吸引パイプ１４側にはコンフューザ２８が設けられている。吐出バルブ１８はシリンダー２のカバー５に設置され、吸引バルブ１６はピストン３の前壁部１７に設置されている。ピストンロッド４とクランクシャフト６、７の連接棒１０、１１とは、横梁２９に回動可能に連結されている。本発明は無駄なスペースの減少と、圧力損失の減少を提供する。【選択図】図１
2007518919.tif 000002
【特許請求の範囲】
【請求項１】
シリンダーを搭載したクランクケースと、該クランクケースに内蔵され、ピストンロッドを備えたピストンと、前記シリンダー上に設置されたカバーと、吸引バルブ及び吐出バルブと、前記シリンダーの軸に対して対称で平衡に設置され、互いに逆回転する２体のクランクシャフトと、前記ピストンのピストンロッドに連結された横梁と、それぞれ一端で対応するクランクシャフトと回転可能に連結され、他端で前記横梁の対応する端部と回転可能に連結された２つの連接棒とを備えたピストン装置であって、
前記ピストンのピストンロッドは前記横梁と回転可能に連結されており、前記ピストンは中空部を備えており、前記ピストンロッドは該ピストンの中空部と連通する貫通軸通路を備えており、
前記ピストンロッドと同軸になるように前記クランクケースに設置された吸引パイプを備え、前記ピストンロッドは、往復運動可能なように該吸引パイプ内に入り込み、前記横梁は該吸引パイプへの入口上方で前記ピストンロッドに連結され、前記吸引バルブは前記ピストンの前壁部に設置され、前記吐出バルブは前記カバーに設置されていることを特徴とするピストン装置。
【請求項２】
ピストンの貫通軸通路は、該ピストンの中空部との連結側はディフューザ形状とされ、吸引パイプの入口側は、コンフューザ形状とされていることを特徴とする請求項１記載のピストン装置。
【請求項３】
吐出バルブは、閉鎖位置のピストンから見て、カバーの表面と同一面となり得るようにカバーに設置されていることを特徴とする請求項１記載のピストン装置。
【請求項４】
吐出バルブは、閉鎖位置のピストンから見て、カバーの表面と同一面となり得るようにカバーに設置されていることを特徴とする請求項２記載のピストン装置。
【請求項５】
吸引バルブは、閉鎖位置でピストンの前壁部の表面と同一面となり得るように前記ピストンの前壁部に設置されていることを特徴とする請求項１から４のいずれかに記載のピストン装置。
【発明の詳細な説明】
【技術分野】
【０００１】
本発明は機械製造分野に関し、コンプレッサー、ポンプ及び内燃機関に利用できる。
【背景技術】
【０００２】
シリンダーが搭載されたクランクケースを有するピストン装置は知られている。その中にはピストンロッドを有したピストンが配置されており、シリンダー上にはカバーが設置されている。クロスヘッドを有したリンクレバーシステムがクランクシャフトに連結し、クランクケースの下部にガイドを有している（ロシア発明者証書第９０５４９９号、Ｆ０１Ｂ９/００、１９７８）。
【０００３】
従来のピストン装置は、容積効率の低減を招く無駄なスペースを有し、バルブで圧力損失を引き起こし、装置のピストンを十分に冷却することができない。
【０００４】
シリンダーが搭載されたクランクケースを有する別のピストン装置も知られている。その中にはピストンロッドを有したピストンが配置されており、シリンダー上にはカバーが設置されている。吸引バルブと吐出バルブが設置されており、２つの平行に提供されたクランクシャフトがシリンダー軸に対して互いに対称に連結配置され、逆回転する。
【０００５】
横梁はピストンのピストンロッドに連結されている。それぞれが対応するクランクシャフトと回転可能に一端で連結され、他端で横梁の対応する端部と回転可能に連結された２本の連接棒が提供されている。
【０００６】
ピストンのピストンロッドは横梁と回転可能に連結されている。装置には横梁に対して異なる角度で連接棒を回転させる機構が提供されている。従来のピストン装置はコンプレッサー、ポンプまたは内燃機関用に用いることができる（ロシア発明者証書第１２２４４１５、Ｆ０１Ｂ９/０２、Ｆ０２Ｂ７５/３２、１９９６）。
【０００７】
コンプレッサーとして使用する際の従来のピストン装置の弱点は、大きな無駄なスペースの存在と、シリンダーのカバー上の吸引バルブと吐出バルブの位置による作動気体の吸気と排気中の圧力損失と、バルブの体積によるカバーとピストンとの間の最少容積の増加と、ピストン装置の容積効率と作動気体によるシリンダー充填効率を低減させ、カバーの同一面を共に占有する吸引バルブと吐出バルブ両方のフロー断面積の減少である。さらに、ピストン装置では、ピストンの充分な冷却が提供されない。
【発明の開示】
【発明が解決しようとする課題】
【０００８】
本発明の目的は、無駄なスペースを減少させ、吸気と排気時に圧力損失を減少させ、ピストンを冷却させるピストン装置の提供である。
【課題を解決するための手段】
【０００９】
ピストン装置はシリンダーを搭載したクランクケースを有している。その中にピストンロッドを備えたピストンが配置され、カバーがシリンダー上に設置される。吸引バルブと吐出バルブが設置され、２つの平行に提供されたクランクシャフトがシリンダー軸に対して互いに対称に連結配置され、逆回転する。横梁はピストンのピストンロッドに連結される。それぞれが対応するクランクシャフトと回転可能に一端で連結され、他端で横梁の対応する端部と回転可能に連結された２本の連接棒を有している。
【００１０】
提案するピストン装置の特徴は、中空部を有した前記ピストンの形状と、ピストンの中空部と連結した貫通軸通路を有したピストンロッドである。また、吸引パイプはクランクケース内でピストンロッドと同軸になるように設置され、ピストンロッドは往復運動可能に吸引パイプ内に入りこんでいる。吸引パイプの入口の上方で横梁はピストンロッドと連結され、吸引バルブはピストンの前壁部に設置され、吐出バルブはカバーに設置されている。
【００１１】
中空部を備えたピストン、ピストンの中空部と連結された貫通軸通路を備えたピストンロッド、往復運動するように吸引パイプ内に延び入るピストンロッドに同軸のクランクケース内の吸引パイプ、吸引パイプの入口の上方でピストンロッドと連結された横梁、及び、ピストンの前壁部に設置された吸引バルブが備えられている。
【００１２】
シリンダーのカバーに設置された吐出バルブはピストン装置の無駄なスペースを最小とする（カバーとピストンとの間に最少容積は残る）。これでピストン装置の容積効率が増加し、無駄なスペースを減少させる。ピストンの前壁部に吸引バルブを設置することで吸引バルブと吐出バルブのフロー断面を増加させ、ピストン装置の圧力損失を減少させる。
【００１３】
ピストンが上部から下部に移動するときに吸引パイプからピストンロッドの貫通軸通路を通過して作動気体を吸気させ、ピストンの中空部内へ作動気体を供給し、吸引バルブからシリンダー内へ作動気体を供給する。ピストンの作動中にシリンダーから吐出バルブを介して反対方向の消費側に供給する。
【００１４】
吸引した作動気体によりピストンを冷却し、結果としてピストン装置全体を冷却する。
【００１５】
吸引パイプの入口の上方となる横梁とピストンロッドとの連結はピストンによるピストンロッドの運動を提供する。
【００１６】
吸引バルブをピストンの前壁部に、吐出バルブをシリンダーのカバーに設置したことにより、吸引バルブを他の位置に設けることによって生じる無駄なスペースを減少させる。
【００１７】
また、このように面積に比べ少ない数の吸引バルブを配置し、これと同数の吐出バルブを対向位置に配置したことにより、吸引バルブと吐出バルブとの間の貫通断面を増加させ、よって、圧力損失を低減させ、容積効率を向上させ、作動気体によるシリンダー充填度を増加させる。
【００１８】
ピストンの中空部との連結側に設けられたディフューザ（diffuser, 拡散部）と、吸引パイプの入口側に設けられたコンフューザ（confuser、集束部）とを備えたピストンの貫通軸通路は、ピストンロッドの貫通軸通路への作動気体の進入時及びピストンロッドの貫通軸通路からピストンの中空部への排出時の最小ガス流速の提供により、貫通軸通路に沿った作動気体の移動中の圧力損失を減少させ、作動気体によるシリンダー充填度を増加させる。
【００１９】
閉鎖位置のピストン側からカバー表面と同面にシリンダーカバー上で吐出バルブを設置することは可能である。そうすることでピストン側からのカバー平坦面の創出により無駄なスペースの容積が減少する。
【００２０】
閉鎖位置のピストンの前壁部に、この前壁部の表面と同一面となり得るように吸引バルブを設置することができ、それにより、ピストンの前壁部を平坦面とすることによる無駄なスペースが減少する。
【発明を実施するための最良の形態】
【００２１】
ピストンコンプレッサーとしてのピストン装置はクランクケース１と、そこに搭載されたシリンダー２を含んでいる。ピストンロッド４を有したピストン３が提供され、シリンダー２にはカバー５が提供され、２つの平行に提供されたクランクシャフト６と７はシリンダー２の軸に対して対称にカウンターウェイトを有しており、互いに連結されており、リンクされたシリンダーギヤ８と９の手段で反対向きに回転する。
【００２２】
横梁２９はピストンロッド４と連結され、２つの連接棒１０と１１は一端でそれぞれ対応するクランクシャフト６または７に回転可能に連結され、別端では、指部材２２と２３が固定された２つの耳部材２５と２６の手段で横梁２９の対応する端部に回転可能に連結されている。連接棒１０、１１との連結領域のピストンロッド４は局部正方横断面を有している。ピストン３のピストンロッド４は軸２１で横梁２９と回転可能に連結されている。
【００２３】
ピストン３は中空部１２を有している。ピストンロッド４はピストン３の中空部１２と連通する貫通縦軸通路１３を有している。吸引パイプ１４はピストン４と共軸でクランクケース１に設置されている。ピストンロッド４はシール１５を通過して吸引パイプ１４内に延び入り、ガイドに沿って往復運動する。
【００２４】
横梁２９は、ピストン３が下方に位置するとき吸引パイプ１４への入口の上方でピストンロッド４と連結する。吸引バルブ１６はピストン３の前壁部１７に設置されている。吐出バルブ１８はカバー５に設置される。カバー５に設けられた吐出バルブ１８はレシーバ１９に油水圧的に連結され、レシーバ１９は排気パイプ２０に連結されている。
【００２５】
吸引バルブ１６はピストン３の前壁部１７に設置され、閉鎖位置のピストン３の前壁部１７の表面と同一面を形成可能である。
【００２６】
吐出バルブ１８はカバー５上に設置され、閉鎖位置のピストン３側に対し、カバー５の表面と同一面を形成可能である。
【００２７】
ピストンロッド４の貫通軸通路１３には、ピストン３の中空部１２との連結側にディフューザ２７が、吸引パイプ１４の入口側にコンフューザ２８が設けられている。
【００２８】
吸引バルブ１６と吐出バルブ１８は自動バルブとすることができる。
【００２９】
吐出バルブ１８はコントロールバルブとすることができる。
【００３０】
ピストン３の前壁部の吸引バルブ１６は錐板状とされ、前壁部１７の錐状開口部に密着し、その端部にピンとリミターを有している。
【００３１】
カバー５の吐出バルブ１８は錐状板の形態とされ、この錐状板はカバー５の錐状開口部を閉止するもので、カバー５側にバネ付勢されるピンを有している。
【００３２】
同様に、本発明のピストン装置は４サイクル内燃機関用とすることができる。吐出バルブは制御インレットバルブに置換され、シリンダーへ直接的に燃料を噴入する追加バルブがシリンダーのカバーに設置される。本発明のピストン装置はポンプ用としても利用できる。
【００３３】
ピストンコンプレッサーとして設計されたピストン装置は次のように作動する。クランクシャフト６と７の回転中に、ピストン３はシリンダー２内で往復運動する。上方位置から下方位置へのピストン３の動きで、下方への加速時にピストン３の前壁部１７の吸引バルブ１６は慣性作用でリミターに制限された範囲で自動的に開く。作動気体の吸引は吸引パイプ１４を通して行われ、ピストンロッド４の貫通軸通路１３を通り、ピストン３の中空部１２に進入し、吸引バルブ１６の開口部を通ってシリンダー２に入る。
【００３４】
クランクシャフト６と７のさらなる回転中に、ピストン３は停止して上方に動き始め、吸引バルブ１６はピストン３の上方への加速で閉鎖する。レシーバ１９の圧力を上回るようにシリンダー２内の作動気体が圧縮されると、吐出バルブ１８はバネ圧力に打ち勝って自動的に開き、作動気体はレシーバ１９内に供給され、排気パイプ２０を通って消費側に供給される。その後にサイクルは反復する。
【００３５】
ピストンロッド４の貫通軸通路１３を通る作動気体の移動中に、コンフューザ２８とディフューザ２７とにおいて、ピストンロッド４の軸通路１３内への進入時と、圧力が回復する場所であるピストンの中空部１２への排出時の作動気体の遅い流速のために作動気体の圧力損失は減少する。
【００３６】
このピストンコンプレッサーの作動気体の排出処理実行中に、閉鎖位置のピストン３に対してカバー５の表面と同一面となるようにカバー５に設置された吐出バルブ１８により、カバー５の平坦面を達成するための無駄なスペースの容積が減少する。
【００３７】
ピストンコンプレッサーの作動気体の排出処理実行中に、閉鎖位置のピストン３の前壁部１７の表面と同一面となるようにピストン３の前壁部１７に設置された吸引バルブ１６により、この前壁部１７の平坦面を達成するための無駄なスペースの容積は減少する。
【産業上の利用可能性】
【００３８】
本発明はコンプレッサー、ポンプ及び内燃機関として最良に利用できる。
【図面の簡単な説明】
【００３９】
【図１】ピストンコンプレッサーとしてのピストン装置の縦断面図
【図２】横梁部分のＡＡ断面図
【図１】
2007518919.tif 000003
【図２】
2007518919.tif 000004
【国際調査報告】
2007518919.tif 000005
2007518919.tif 000006